(57)【要約】【課題】  紙送り時に、紙詰まりの発生しない安定した紙送りが実現可能な、プリンタを提供する。【解決手段】  後側開閉蓋４に紙案内板５０を備え、プラテン１５に案内補助板５５を備えた構成にすることによって、紙案内板５０と、案内補助板５５とが第１の記録紙１０ｂを案内する。また、紙案内板５０に設けられた凸部５０ｂと、案内補助板５５に設けられた凹部５５ｂとが第２の記録紙１０ｃを案内する。しかも、第１の案内部と第２の案内部とが第１の記録紙が排出しやすいように角度を設けて配置されているので、よりスムースに第１の記録紙１０ｂを案内する。このことによって、記録紙１０ａがプリンタ１の中で詰まることがなくなる。【選択図】      図４
2005329597.tif 000002
【特許請求の範囲】
【請求項１】
ロール紙を収納する収納部を備えたケース本体と、
前記ケース本体に備えられ、前記ロール紙から引き出された記録紙に印字を行う印字ヘッドと、
前記ケース本体に備えられ、後端部分を回転中心として開閉可能な状態に取り付けられた開閉フレームと、
前記開閉フレームの先端部分に備えられ、前記開閉フレームが閉じられた状態で、前記印字ヘッドの印字面と所定の間隔で対峙する位置に配置されたプラテンと、
前記ケース本体に備えられ、後端部分を回転中心として開閉可能な状態に取り付けられた開閉蓋と、
前記開閉蓋の先端部分に備えられ、前記プラテンの上方の位置に配置された切断機とを備え、切断後に記録紙を戻してから搬送するプリンタであって、
前記切断機の切り取り位置に、前記第１の記録紙を排出する第１の案内面を有する第１の案内部と、
前記プラテンに、前記第２の記録紙を案内する第２の案内面を有する第２の案内部と、を備えていることを特徴とするプリンタ。
【請求項２】
請求項１に記載のプリンタにおいて、
前記ロール紙がダブルロール紙であって、前記ダブルロール紙が前記印字ヘッドで印字されたら、前記ロール紙が第１の記録紙と、第２の記録紙とに分離され、
前記第１の記録紙が前記第２の案内面に沿って案内され、前記第２の案内面の延長線上に、前記第１の案内面を配置し、
前記第１の記録紙を前記切断機に案内するように、前記第１の案内面と前記第２の案内面とが配置されていることを特徴とするプリンタ。
【請求項３】
請求項１又は請求項２に記載のプリンタにおいて、
前記第１の案内部と、
前記第２の案内部との間に、前記第２の記録紙が配置され、
前記第２の記録紙が開閉フレームと開閉蓋との間に形成された搬送路を案内され、
前記開閉フレームと前記開閉蓋が共に閉じられた状態で、
前記開閉蓋が開閉フレームに対して、前記搬送路を狭める方向に変位可能に構成されており、
前記第１の記録紙を切断する切断機が前記開閉蓋に取り付けられ、
前記開閉蓋が閉じられた状態で、前記切断機の下面と前記開閉フレームの上面の間で、
前記第２の記録紙が搬送される巻取り用搬送路が形成され、
前記巻取り用搬送路を確保するために、
前記第２の案内部が屈曲されて形成された凹部と対応するように、
前記第１の案内部が屈曲されて形成された凸部とが、配置されていることを特徴とするプリンタ。
【請求項４】
請求項１〜請求項３のいずれか一項に記載のプリンタにおいて、
前記第１の案内部の凸部の先端が、開閉蓋の下面の延長線上の位置に、ほぼ一致しているように配置されていることを特徴とするプリンタ。
【発明の詳細な説明】
【技術分野】
【０００１】
本発明は、ロール紙に印字された記録紙の紙送りをする紙送り機構を備えたプリンタに関する。
【背景技術】
【０００２】
プリンタの紙送り機構としては、２枚つづりのロール紙にプリンタで同時に印字された記録紙２枚（レシート紙とジャーナル紙）を紙送りするための紙送り機構がある。ここで、この記録紙２枚の内の１枚が、自動切断機により切断されてレシートとしてお客様に渡される。これがレシート紙である。また、残りの１枚が切断されずに、巻取り機構により巻き取られる。これが売上記録として保管されるジャーナル紙である。
【０００３】
最近では、このロール紙をなるべく少なく使うように、バックフィード機能を有するプリンタがある。ここで、このバックフィード機能とは、ロール紙に印字をして記録紙を送ったあとに、この記録紙の紙送り方向とは逆の方向に、ロール紙を少し戻す方法であって、印字されていないロール紙の余白部分を、少しではあるが活用することができる。従って、ロール紙の使用量を節約することができる。このバックフィード機能を有したプリンタが採用されていた。
【０００４】
例えば、特許文献１に開示されているように、切断口に自動切断機を備えていて、印字後の記録紙を案内する紙案内機構が提案されていた（例えば、特許文献１参照）。
【０００５】
【特許文献１】実開平４−７９６５５号公報
【発明の開示】
【発明が解決しようとする課題】
【０００６】
ところが、この紙案内機構では、プリンタの開閉蓋周辺にロール紙が詰まり易くなってしまう恐れがあり、バックフィード機能を有したプリンタには対応できていなかった。なぜならば、バックフィード機能を有したプリンタでは、印字後に記録紙が正送りで送られてから、所定の長さ分だけ切断されて、次に、逆送りになってロール紙が紙送りローラの直前まで戻ってくる。再び印字を開始するときには、このロール紙が戻った位置から印字を開始して、記録紙が正送りになって送られる。これらの動作の中で紙が戻ってくるのをバックフィードと呼び、この逆送り動作をするときや、正送り動作をするときに、紙が開閉蓋周辺に絡まってしまうことが発生して、詰まりやすかった。しかも、このバックフィード機能を有したプリンタは、これら一連の紙送り動作を何度も繰り返すため、より一層、ロール紙がプリンタの開閉蓋周辺に詰まりやすくなる傾向にあった。
【０００７】
本発明の目的は、このようなバックフィード機能を備えたプリンタであっても、紙詰まりの不具合を低減できるプリンタを提供することである。
【課題を解決するための手段】
【０００８】
本発明のプリンタは、ロール紙を収納する収納部を備えたケース本体と、前記ケース本体に備えられ、前記ロール紙から引き出された記録紙に印字を行う印字ヘッドと、前記ケース本体に備えられ、後端部分を回転中心として開閉可能な状態に取り付けられた開閉フレームと、前記開閉フレームの先端部分に備えられ、前記開閉フレームが閉じられた状態で、前記印字ヘッドの印字面と所定の間隔で対峙する位置に配置されたプラテンと、前記ケース本体に備えられ、後端部分を回転中心として開閉可能な状態に取り付けられた開閉蓋と、前記開閉蓋の先端部分に備えられ、前記プラテンの上方の位置に配置された切断機とを備え、切断後に記録紙を戻してから搬送するプリンタであって、前記切断機の切り取り位置に、前記第１の記録紙を排出する第１の案内面を有する第１の案内部と、前記プラテンに、前記第２の記録紙を案内する第２の案内面を有する第２の案内部と、を備えていることを特徴とする。
【０００９】
この発明によれば、第１の案内部と第２の案内部と、を備えていて、印字後の記録紙を第１の案内部と第２の案内部とで案内しながら紙送りを行うので、紙詰まりのないプリンタを提供することができる。
【００１０】
本発明のプリンタは、前記ロール紙がダブルロール紙であって、前記ダブルロール紙が前記印字ヘッドで印字されたら、前記ロール紙が第１の記録紙と、第２の記録紙とに分離され、前記第１の記録紙が前記第２の案内面に沿って案内され、前記第２の案内面の延長線上に、前記第１の案内面を配置し、前記第１の記録紙を前記切断機に案内するように、前記第１の案内面と前記第２の案内面とが配置されていることが望ましい。
【００１１】
この発明によれば、第１の記録紙をしっかりと案内することができるので、紙詰まりのないプリンタを提供することができる。しかも、記録紙が逆送りになって戻ってきたときでも、第１の記録紙の先端部分を第２の案内部が案内しているので、バックフィード機能を有するプリンタにも対応できる。
【００１２】
本発明のプリンタは、前記第１の案内部と、前記第２の案内部との間に、前記第２の記録紙が配置され、前記第２の記録紙が開閉フレームと開閉蓋との間に形成された搬送路を案内され、前記開閉フレームと前記開閉蓋が共に閉じられた状態で、前記開閉蓋が開閉フレームに対して、前記搬送路を狭める方向に変位可能に構成されており、前記第１の記録紙を切断する切断機が前記開閉蓋に取り付けられ、前記開閉蓋が閉じられた状態で、前記切断機の下面と前記開閉フレームの上面の間で、前記第２の記録紙が搬送される巻取り用搬送路が形成され、前記巻取り用搬送路を確保するために、前記第２の案内部が屈曲されて形成された凹部と対応するように、前記第１の案内部が屈曲されて形成された凸部とが、配置されていることが望ましい。
【００１３】
この発明によれば、記録紙用搬送路の入り口を狭めることで、第２の記録紙をしっかりと案内しながら紙送りをすることができるので、巻取り軸に確実に巻き取られる。従って、紙詰まりのないプリンタを提供することができる。
【００１４】
本発明のプリンタは、前記第１の案内部の凸部の先端が、開閉蓋の下面の延長線上の位置に、ほぼ一致しているように配置されていることが望ましい。
【００１５】
この発明によれば、第２の記録紙が凸部に沿って排出されることによって、紙送りがより一層スムースになるので、第２の記録紙が巻取り軸に確実に巻き取られるようになる。従って、紙詰まりのないプリンタを提供することができる。
【発明を実施するための最良の形態】
【００１６】
以下、本発明を具体化した一実施形態のプリンタについて、添付図面に沿って詳細に説明する。
（実施形態）
【００１７】
図１は本実施形態のプリンタの外観斜視図である。
【００１８】
図１に示すように、プリンタ１は、その側面周囲を覆う矩形形状のケース本体２と、プリンタ上面の前側部分を覆う前面開閉蓋３及び後側部分を覆う後側開閉蓋４とを備え、これらによってプリンタケース１ａが構成されている。ここで、図１の矢印Ａで示される方向を前側、矢印Ｂで示される方向を後側、矢印Ｃで示される方向を左側、矢印Ｄで示される方向を右側と定義する。
【００１９】
プリンタケース１ａには、プリンタ本体７（図２、図３参照）が内蔵されており、前面開閉蓋３と後側開閉蓋４の間には記録紙排出口５が形成されている。後側開閉蓋４は、スライドボタン６を操作すると、図示されていないロック機構が解除されて開くことができる。巻取り軸１１や記録紙ロール１０の交換を行う場合には、後側開閉蓋４を開けて行う。また、印字用のインクリボンのリボンカセット２１を交換する場合には前面開閉蓋３を開けて行う（図２、図３参照）。
【００２０】
図２、図３は本実施形態のプリンタを右側と左側から見た側面図であり、主にプリンタの内部構造を示している。
【００２１】
図２、図３に示すように、上方を前面開閉蓋３と後側開閉蓋４に覆われたプリンタ本体７は、本体フレーム８と開閉フレーム９とを備えている。後側開閉蓋４は、回転軸受４ａを介して本体フレーム８に取り付けられた左右の腕部分４ｂと、４ｃとに取り付けられており、開閉可能に構成されている。また、開閉フレーム９は、回転軸受９ａを介して本体フレーム８に取り付けられており、回転軸受９ａを回転中心にして開閉が可能な構造になっている。
【００２２】
ここで、後側開閉蓋４に覆われた本体フレーム８の後側には、記録紙ロール１０を収納することができる収納部１６を備えている。なお、本実施形態で使用される記録紙ロール１０はダブルロール紙である。この記録紙ロール１０から引き出された２枚つづりの記録紙１０ａは第１搬送路１２ａ、第２搬送路１２ｂ、第３搬送路１２ｃで構成される記録紙搬送路１２の中に搬送されるように構成されている。
【００２３】
そして、第２搬送路１２ｂに設置された印字ヘッド２０と、この印字ヘッド２０の印字面２０ａと所定の間隔を隔てて対峙したプラテン１５との間を記録紙ロール１０が通過するときに、印字が行われる。この印字ヘッド２０の後方にはリボンカセット２１が備えられている。また、記録紙１０ａは、第３搬送路１２ｃに設置された紙送りローラ３０と紙押さえローラ３１との間に挟まれ、紙送りローラ３０の回転によって搬送されるように構成されている。この紙送りローラ３０は、駆動モータ３２や輪列３３を備えた駆動機構により回転する（図３参照）。
【００２４】
この記録紙１０ａは、第３搬送路１２ｃを通過後、印字ヘッド２０側の第１の記録紙１０ｂとプラテン１５側の第２の記録紙１０ｃとに分かれて、別々の搬送路を搬送される。第１の記録紙１０ｂは、第３搬送路１２ｃの上側に搬送されて、記録紙排出口５からプリンタ１の外部へと排出される。また、排出路１３には、自動切断機４０が配置されていて、第１の記録紙１０ｂを切断することができるように構成されている。
【００２５】
一方、第２の記録紙１０ｃは、自動切断機４０の下面と開閉フレーム９との上面の間に形成された巻取り用搬送路１４の後方に搬送され、本体フレーム８の後側に位置する巻取り軸１１に巻き取られるように構成されている。
【００２６】
また、開閉フレーム９の先端部分には、プラテン１５と紙送りローラ３０が設置されており、開閉フレーム９を開くことにより、記録紙搬送路１２が開放され、記録紙１０ａのセットができる。
【００２７】
図２に示すように、収納部１６に収納されている記録紙ロール１０から引き出された２枚つづりの記録紙１０ａは、収納部１６の前端部分に配置されているガイドローラ１７を介して、記録紙搬送路１２へ導かれる。この記録紙搬送路１２は、ガイドローラ１７の搬送方向下流側に設置されて上方へわずかに傾斜している第１搬送路１２ａと、この第１搬送路１２ａの前端から上方へ大きな傾斜角度で立ち上がっている第２搬送路１２ｂと、この第２搬送路１２ｂの上端から後方へ傾斜した第３搬送路１２ｃとを備えて構成されている。
【００２８】
図４は本実施形態のロール紙の紙送り機構の拡大断面図である。
【００２９】
図４（ａ）に示すように、後側開閉蓋４とプラテン１５とは隙間を隔てて対峙していて、このプラテン１５の上端部分には、第２の記録紙１０ｃを案内するように案内補助板５５が備えられている。この案内補助板５５には第２案内面としての傾斜面５５ａが設けられている。また、後側開閉蓋４の先端部分には、第２の記録紙１０ｂを案内するように紙案内板５０が備えられている。この紙案内板５０には第１案内面としての傾斜面５０ａが設けられている。
【００３０】
ここで、第２案内面としての傾斜面５５ａの傾きの延長線上に、第１案内面としての傾斜面５０ａが位置していて、第２案内面としての傾斜面５５ａと第１案内面としての傾斜面５０ａとが、第１の記録紙１０ｂを排出しやすいような角度で配置されて構成されている。
【００３１】
一方、記録紙１０は、紙送りローラ３０と紙押さえローラ３１との間を通り、案内補助板５５の凹部５５ｂ近傍で、第１の記録紙１０ｂと第２の記録紙１０ｃとに分離される。この記録紙１０は、第２案内面としての傾斜面５５ａで案内されて、第１の記録紙１０ｂが第３搬送路１２ｃに案内されて自動切断機４０を通過するときに切断されて、排出されるように構成されている。また第２の記録紙１０ｃは巻取り用搬送路１４を搬送されて、巻き取り軸１１に巻き取られるように構成されている（図２、図３参照）。
【００３２】
図４（ｂ）は、、図４（ａ）に示す後側開閉蓋４が閉じた通常の状態のときに、オペレータが手を載せる等によってさらに後側開閉蓋４が押し下げられた特異な状態を示す図である。この場合であっても、後で詳述するが第２の記録紙１０ｃは後側開閉蓋４とプラテン１５との間に挟みこまれることがなく、巻取り用搬送路１４は確保されている。したがって、この状態のときであっても、第１の記録紙１０ｂが所定の長さだけ送られたら、自動切断機４０によって切断されるように構成されている。
【００３３】
次に、記録紙１０は、紙送りローラ３０が逆回転すると、第１の記録紙１０ｂと第２の記録紙１０ｃとが同時に巻き戻される。このとき、第１の記録紙１０ｂの先端位置が案内補助板５５の第２案内面としての傾斜面５５ａまで戻るように構成されている。
【００３４】
図５は本実施形態のプリンタケース１ａに内蔵されているプリンタ本体７を示す斜視図である。
図５に示すように、開閉フレーム９の上方の後側開閉蓋４に自動切断機４０が設置されている。この自動切断機４０は、後側開閉蓋４の腕部分４ｂと、４ｃとに取り付けられており、回転軸受け４ａ（図２、図３参照）を回転中心として、後側開閉蓋４が開閉可能なように構成されている。また、この自動切断機４０の先端部分には、第１の記録紙１０ｂの案内が容易にできるように、紙案内板５０が備えられて構成されている。
【００３５】
また、開閉フレーム９のやや下側には、プラテン１５が固定されている。また、このプラテン１５の先端部分には、案内補助板５５が備えられていて、第２の記録紙１０ｃの案内が、容易にできるように構成されている。
【００３６】
また、この本体フレーム８には、記録紙ロール１０を収納する収納部１６が備えられている。この収納部１６から記録紙ロール１０が、搬送される下側の壁に沿った第１の搬送路１２ａと、印字ヘッド２０によって印字される印字面２０ａに沿った第２の搬送路１２ｂとが形成されている。また、紙送りローラ３０と、紙押さえローラ３１との間に備えられた第３の搬送路１２ｃとが設けられている（図２、図３参照）。また、紙案内板５０と、案内補助板５５との間には巻取り用搬送路１４が設けられている（図４参照）。
【００３７】
また、図５に示すように、開閉フレーム９は、前後方向に伸びる左右腕部分９ｃ（右側）、９ｄ（左側）と、これらの腕部分９ｃ，９ｄを連結する前端連結板９ｅから構成され、回転軸受９ａを中心に開閉する。この前端連結板９ｅの上面と自動切断機構４０の下面の間で、巻取り用搬送路１４が形成される。開閉フレーム９は、記録紙ロール１０が装填された収納部１６や巻取り軸１１の上部の位置は、大きな開口部となっている。従って、開閉フレーム９は、これらの部材と全く干渉することなく開閉を行うことができる。また、開閉フレーム９上には、巻取り軸１１が設置されていないので、巻取り軸１１が落下する等の恐れはなく、記録紙ロール１０が容易に交換できる位置まで、大きく開くことができる。
（記録紙のセット）
ここで、図５に示すような後側開閉蓋４と開閉フレーム９が開いた状態から、記録紙をプリンタ１にセットする手順を説明する。記録紙ロール１０は、装填部１８へ落とし込むだけで、記録紙ロール１０を装填することができる。そして記録紙ロール１０から２枚つづりの記録紙１０ａを、先端部が搬送路に沿って巻取り軸１１に達するぐらいの長さ引き出し、本体フレーム側の記録紙搬送路１２上に沿わせておく。この状態で開閉フレーム９を閉じると、記録紙搬送路１２が形成され、自動的に記録紙１０ａがセットされる。開閉フレーム９は、図示されていないロック機構によって、自動的にロックされる。
【００３８】
図６は本実施形態のプリンタ本体７を示す部分拡大斜視図である。
図６に示すように、プラテン１５と、案内補助板５５とを備えた開閉フレーム９には、軸２４が回転可能なように備えられている。この軸２４には、レバー２５とロック２７（この場合、２箇所）とが備えられていて、このロック２７と、フック２６とが係合可能なように備えられている。通常は、記録紙ロール１０が収納部１６に収納された状態で、ロック２７とフック２６とが係合して、後側開閉蓋４は閉じている。
【００３９】
また、自動切断機４０と、紙案内板５０とを備えた後側開閉蓋４には、フック２６（この場合、２箇所）が備えられていて、軸２４に嵌合されているレバー２５を、このレバー２５に刻印されている矢印方向に操作することによって、ロック２７と、フック２６との係合が外れて、後側開閉蓋４と開閉フレーム９とが開放するように構成されている。
【００４０】
つまり、プリンタ１が通常状態の時には、フック２６がロック２７によって係合している状態であって、自動切断機４０が第１の記録紙１０ｂを切断した後では、レバー２５を操作することによって、フック２６とロック２７との係合が外れるように構成されている（図４参照）。
【００４１】
本実施形態におけるプリンタの構成は以上のようであって、図２〜図４を参照しながら、プリンタの紙送り時の紙案内方法について説明をする。なお、ここではドットインパクト方式のプリンタを使用した。
【００４２】
図２、図３に示すように、収納部１６に収納されている２枚つづりの記録紙ロール１０が、印字面２０ａに送られて、印字ヘッド２０によって印字されて、記録紙１０ａができる。この記録紙１０ａは、記録紙搬送路１２を通る。より詳しくは、この記録紙１０ａは、第１搬送路１２ａ、第２搬送路１２ｂ、第３搬送路１２ｃを通る。この記録紙１０ａが紙送りローラ３０を通過した後に、第１の記録紙１０ｂと、第２の記録紙１０ｃとに分離される。
【００４３】
ここで、図４（ａ）に示すように、第１の記録紙１０ｂは、紙案内板５０に設けられた第１案内面としての傾斜面５０ａと、案内補助板５５に設けられた第２案内面としての傾斜面５５ａとに案内されて第３搬送路１２ｃを通過する。この第２案内面としての傾斜面５５ａの傾きの延長線上に、第１案内面としての傾斜面５０ａがあって、第１の記録紙１０ｂが自動切断機４０の方向に排出されやすいような角度で配置されているので、第１の記録紙１０ｂが第３搬送路１２ｃをスムースに通過していく。
【００４４】
また、図４（ｂ）に示すように、第２の記録紙１０ｃは、紙案内板５０と案内補助板５５との間に設けられた巻取り用搬送路１４を搬送されて、巻き取り軸１１に巻き取られる。この第２の記録紙１０ｃは、後側開閉蓋４が下方向に押されて下降したときに、凸部５０ｂによって巻取り用搬送路１４の入り口部分の開口が狭くなり過ぎないように凸部５０ｂに対向する部分で案内補助板５５を下方へ屈曲させて、凹部５５ｂとの隙間が少なくなっても第２案内面としての傾斜面５５ａから案内された第２の記録紙１０ｃが巻取り用搬送路１４を搬送できる。
【００４５】
次に、自動切断機４０が作動して第１の記録紙１０ｂが切断される。この切断された第１の記録紙１０ｂは、記録紙排出口５（図１参照）からプリンタ１の外部へ排出される。
【００４６】
次に、紙送りローラ３０が紙送り方向とは逆に回転することによって、記録紙１０ａが記録紙ロール１０側に、所定の長さ分だけ戻ってくる。このとき、第２の記録紙１０ｃと第１の記録紙１０ｂとは同じ長さ分だけ戻ってくる。次に、第１の記録紙１０ｂ側は紙案内板５０に設けられた第１案内面としての傾斜面５０ａと、案内補助板５５に設けられた第２案内面としての傾斜面５５ａとに案内されて、この第１の記録紙１０ｂの切断部が案内補助板５５の第２案内面としての傾斜面５５ａの位置まで戻ってくる。また、第２の記録紙１０ｃは巻取り軸１１から逆に紙送りローラ３０側へ戻ってくる。そして、第１の記録紙１０ｂの先端と、第２の記録紙１０ｃとが案内補助板５５に案内される。
【００４７】
以上のような実施形態では、次のような効果が得られる。
（１）紙案内板５０の凸部５０ｂと、案内補助板５５の凹部５５ｂとが対応するように配置して、第２の記録紙１０ｃを案内するように構成したことによって、第２の記録紙１０ｃが安定して紙送りされる。さらに、紙案内板５０に備えられた凸部５０ｂが、後側開閉蓋４の下面の延長線上の位置に配置された構成になっているので、巻取り用搬送路１４の入り口部分を実質的に狭めずに第２の記録紙１０ｃをよりスムースに案内することができ、紙詰まりがないプリンタ１を提供することができる。
（２）また、バックフィードで紙が戻ってきた場合、案内補助板５５に備えられた第２案内面としての傾斜面５５ａで、第１の記録紙１０ｂをしっかりと案内することができる。また、凹部５５ｂを案内補助板５５に設けることで、巻取り用搬送路１４の入り口が狭くなっても第２の記録紙１０ｃの搬送路が確保できるので、紙詰まりがなくなる。従って、このように、紙が戻ってくるようなバックフィード機能を有したプリンタにも対応できる。
【００４８】
なお、本発明は前述の実施形態に限定されるものではなく、本発明の目的を達成できる範囲での変形、改良等は本発明に含まれるものである。以下に変形例を示す。
【００４９】
（変形例１）実施形態で、紙案内板５０を備えた構成にしたが、本発明はこれにこだわるものではない。例えば、紙案内板５０の代わりに、第１の記録紙１０ｂを案内できるような傾斜面を後側開閉蓋４に形成しても良い。この場合、後側開閉蓋４の傾斜面を有する部分が第１の案内部となる。
【００５０】
このようにすれば、後側開閉蓋４の形状が複雑になるが、紙案内板５０がなくなるので、部品点数が減り、コスト低減が可能なプリンタ１を提供できる。
【００５１】
（変形例２）実施形態で、第１の記録紙１０ｂを切断するのに自動切断機４０を用いたが、本発明はこれにこだわるものではない。例えば、手動の切断機を用いても良い。
【００５２】
このようにすれば、プリンタを構成する部品の点数が少なくなるので、コスト低減が可能な、より安価なプリンタ１を提供できる。
【００５３】
また、上記の実施形態及び変形例で把握される技術的思想は、以下のとおりである。
【００５４】
（技術的思想１）  紙送りローラと、紙押えローラと、前記紙送りローラを駆動する駆動モータを含む駆動機構とを有して、前記記録紙を搬送する搬送機構が備えられ、前記紙送りローラと前記紙押えローラが、前記印字ヘッドよりも上方の位置に、前記ケース本体側と前記開閉フレーム側に分かれて設置され、前記開閉フレームが閉じられた状態で、前記紙送りローラと前記紙押えローラが当接するように配置された巻取り機構を備え、第１の案内部と第２の案内部を備えた請求項１〜請求項４のいずれか一項に記載のプリンタ。
【００５５】
このような構成にすれば、開閉フレーム９を開けるだけで、記録紙ロール１０の交換が容易になる。しかも、紙詰まりのないプリンタ１を提供できる。
【００５６】
（技術的思想２）  前記ロール紙がダブルロール紙であって、前記記録紙が、前記紙送りローラと前記紙押えローラの間を通過した後に、第１の記録紙と第２の記録紙とに分かれ、前記第１の記録紙は上方へ排出され、前記第２の記録紙は、前記巻取り軸に巻き取られる巻取り機構を備え、第１の案内部と第２の案内部を備えた請求項１〜請求項４のいずれか一項に記載のプリンタ。
【００５７】
このような構成にすれば、１台のプリンタで２つの記録紙搬送路を備えているので効率的に配置ができて、プリンタ１の小型化ができる。しかも、紙詰まりのないプリンタ１を提供できる。
【図面の簡単な説明】
【００５８】
【図１】本発明を具体化した実施形態のプリンタの外観斜視図。
【図２】プリンタを右側から見た側面図。
【図３】プリンタを左側から見た側面図。
【図４】ロール紙の紙送り機構の拡大断面図。
【図５】プリンタ本体を示す斜視図。
【図６】プリンタ本体を示す拡大斜視図。
【符号の説明】
【００５９】
１…プリンタ、２…ケース本体、４…開閉蓋としての後側開閉蓋、４ａ…回転軸受、４ｂ…腕部分、５…記録紙排出口、７…プリンタ本体、８…本体フレーム、９…開閉フレーム、１０…記録紙、１０ａ…記録紙、１０ｂ…第１の記録紙、１０ｃ…第２の記録紙、１１…巻取り軸、１２…記録紙搬送路、１２ａ…搬送路、１２ｂ…搬送路、１２ｃ…搬送路、１３…排出路、１４…搬送路としての記録紙用搬送路、１５…プラテン、１６…収納部、１７…ガイドローラ、２０…印字ヘッド、２０ａ…印字面、２４…軸、２５…レバー、２６…フック、２７…ロック、３０…紙送りローラ、３１…紙押さえローラ、４０…自動切断機、５０…第１案内部としての紙案内板、５０ａ…第１案内面としての傾斜面、５０ｂ…凸部、５５…第２案内部としての案内補助板、５５ａ…第２案内面としての傾斜面、５５ｂ…凹部。
【図１】
2005329597.tif 000003
【図２】
2005329597.tif 000004
【図３】
2005329597.tif 000005
【図４】
2005329597.tif 000006
【図５】
2005329597.tif 000007
【図６】
2005329597.tif 000008